(57)【特許請求の範囲】
【請求項１】
便器を洗浄する洗浄水を貯水する洗浄水タンク装置であって、
手洗い吐水用の水を吐水する手洗い吐水部と、
前記手洗い吐水部から吐水された水を受け、受けた水を排出させる排出口が開口された手洗いボウル部と、
前記手洗いボウル部の下方に設けられるアウタータンクと、
前記アウタータンク内に設けられるインナータンクと、
前記インナータンクの内部に設けられ、上端に開口を設けたオーバーフロー管と、
前記インナータンクの上部に装着され、前記排出口と前記インナータンクとを連通する開口部が開口された蓋部と、
前記蓋部の前記開口部に着脱自在に取り付けられ、前記排出口から排出された水を受ける第一管部と前記第一管部から流路が屈曲して下流端部に流出口が開口された第二管部とからなる水受部と、
前記水受部の前記流出口と対面し、前記流出口から流出した水を前記インナータンクと前記蓋部との接合部分と、前記オーバーフロー管の前記開口との間へ案内する案内部と、
を備える洗浄水タンク装置。
【請求項２】
前記水受部の前記第一管部の流路底面には、前記第二管部に向かって下方へ傾斜し、前記排出口から排出された水を前記第二管部へ導く傾斜面が設けられ、
前記水受部は、前記傾斜面で前記排出口からの水を受ける、
請求項１に記載の洗浄水タンク装置。
【請求項３】
前記第二管部の前記流出口につながる底面は、前記流出口に向かって下方へ傾斜している、
請求項１または請求項２に記載の洗浄水タンク装置。
【請求項４】
前記水受部の第一管部の上端には前記排出口から排出された水が流入する流入口が開口し、前記水受部の前記流入口と前記蓋部の前記開口部がインロー構造を形成するように係合されている、
請求項１乃至請求項３の何れか１項に記載の洗浄水タンク装置。
【請求項５】
請求項１乃至請求項４の何れか１項に記載の前記洗浄水タンク装置を備える水洗大便器。
【発明の詳細な説明】
【技術分野】
【０００１】
本発明は、手洗い用の吐水部を備えた洗浄水タンク装置に係り、特に、便器を洗浄する洗浄水を貯水する洗浄水タンク装置及び水洗大便器に関する。
【背景技術】
【０００２】
従来から、便器を洗浄する洗浄水タンク装置として、陶器製のアウタータンク内に合成樹脂製のインナータンクが配置され、このインナータンクに蓋が装着された洗浄水タンク装置が知られている（例えば、特許文献１参照）。
特許文献１における洗浄水タンク装置のインナータンクの内部には、フロート弁装置などの構成部品が配置されている。この洗浄水タンク装置において、アウタータンクの上面に手洗鉢が載設されており、この手洗鉢に手洗吐水管が立設し、底部には排水孔が開口されている。さらに、この排水孔に対面して水受け桶部が蓋と一体的に形成され、この水受け桶部には、インナータンクの前面壁に対峙する流出口が設けられている。
【０００３】
このような従来の洗浄水タンク装置において、蓋と一体的に設けられた水受け桶部によって手洗鉢からの落下水を受けてインナータンクの前壁面へ流出させるため、手洗鉢からの落下水がフロート弁装置などに飛散することを防ぐことができる。
【先行技術文献】
【特許文献】
【０００４】
【特許文献１】特開平１１−３２４０５８号公報
【発明の概要】
【発明が解決しようとする課題】
【０００５】
しかし、上述した従来の洗浄水タンク装置において、手洗鉢からの落下水を受けてインナータンクの前壁面へ流出させるため、水受け桶部の流出口から流出した水がインナータンクと蓋との接合部分へ飛散し、そこから水が漏れてしまうといった懸念がある。
この解決策として、インナータンクと蓋との接合部分へ避けて、水受け桶部の流出口から水を流出させる構成が考えられる。しかし、この構成だと、インナータンクの内部に設けられるオーバーフロー管の上方の開口へ水が飛散してしまい、オーバーフロー管から便器へ水が排出される。そのため、インナータンク内に水受け桶部の流出口から流出した水が貯水されず、従来から便器に要請されている洗浄水の節水化のニーズに反してしまうといったおそれがある。
【０００６】
そこで、本発明は、上記課題を解決するためになされたものであり、水受け桶部の流出口から流出した水が、インナータンクと蓋との接合部分から漏水してしまうことと、オーバーフロー管へ浸入してしまうことを抑制する洗浄水タンク装置の提供を目的としている。
【課題を解決するための手段】
【０００７】
本発明の一態様に係る洗浄水タンク装置は、便器を洗浄する洗浄水を貯水する洗浄水タンク装置であって、手洗い吐水用の水を吐水する手洗い吐水部と、前記手洗い吐水部から吐水された水を受け、受けた水を排出させる排出口が開口された手洗いボウル部と、前記手洗いボウル部の下方に設けられるアウタータンクと、前記アウタータンク内に設けられるインナータンクと、前記インナータンクの内部に設けられ、上端に開口を設けたオーバーフロー管と、前記インナータンクの上部に装着され、前記排出口と前記インナータンクとを連通する開口部が開口された蓋部と、前記蓋部の前記開口部に着脱自在に取り付けられ、前記排出口から排出された水を受ける第一管部と前記第一管部から流路が屈曲して下流端部に流出口が開口された第二管部とからなる水受部と、前記水受部の前記流出口と対面し、前記流出口から流出した水を前記インナータンクと前記蓋部との接合部分と、前記オーバーフロー管の前記開口との間へ案内する案内部と、を備える。
【０００８】
この構成によれば、水受部は、排出口から排出された水を受ける第一管部と、この第一管部から流路が屈曲して下流端部に流出口が開口された第二管部とからなる。そのため、水受部から流出した水がオーバーフロー管の開口に侵入することを抑制することができる。また、水受部の流出口と対面する位置に案内部を設けることで、水受部の流出口から流出した水を、インナータンクと蓋部との接合部分とオーバーフロー管の開口との間に水を流下させる。そのため、インナータンクと蓋部との接合部分に水が飛散することを抑制することができる。
【０００９】
本発明の一態様に係る洗浄水タンク装置において、好ましくは、前記水受部の前記第一管部の流路底面には、前記第二管部に向かって下方へ傾斜し、前記排出口から排出された水を前記第二管部へ導く傾斜面が設けられ、前記水受部は、前記傾斜面で前記排出口からの水を受ける。
【００１０】
この構成によれば、第一管部の流路底面には、第二管部に向かって下方へ傾斜し、排出口から排出された水を第二管部へ導く傾斜面が設けられている。排出口から排出された水は、この傾斜面で水を受けた後、傾斜面に沿って水受部の第一管部から第二管部へ水が流れるので、平面で水を受けた場合と比べて、水の流れの損失が少なく、スムーズに流れる。そのため、第一管部から第二管部へ水が流れるときの水の流速が平面のときよりも速くなり、水が水受部の第一管部の上方に向かって逆流することを抑制することができる。また、排出口から排出された水を傾斜面で受けるので、平面で水を受ける場合と比べて、第一管部の上方への水の跳ね返りが抑制される。そのため、水受部の第一管部と蓋部との接続部分へ水が跳ね返り、そこから水が漏れてしまうことを抑制することができる。
【００１１】
本発明の一態様に係る洗浄水タンク装置において、好ましくは、前記第二管部の前記流出口につながる底面は、前記流出口に向かって下方へ傾斜している。
【００１２】
この構成によれば、第二管部の流出口につながる底面が、流出口に向かって下方へ傾斜していることで、流出口から流出した水の水切り性能を向上させることができる。そのため、水受部の流出口から流出した水が水受部の第二管部の下面を伝って意図していない場所、例えば、オーバーフロー管の開口部上方に流下することを抑制することができる。
【００１３】
本発明の一態様に係る洗浄水タンク装置において、好ましくは、前記水受部の上端には前記排出口から排出された水が流入する流入口が開口し、前記水受部の前記流入口と前記蓋部の前記開口部がインロー構造を形成するように係合されている。
【００１４】
この構成によれば、水受部の流入口と蓋部の開口部がインロー構造を形成するように係合されていることで、蓋部と水受部との接合部分から水受部の外部へ水が漏れてしまうことを抑制する。
【００１５】
また、本発明の一態様は、上記洗浄水タンク装置を有する水洗大便器である。
【００１６】
この構成によれば、水洗大便器の洗浄水タンク装置内にて、水受け桶部の流出口から流出した水が、インナータンクと蓋との接合部分から漏水してしまうことと、オーバーフロー管へ浸入してしまうことを抑制することができる。
【発明の効果】
【００１７】
本発明によれば、洗浄水タンク装置において、水受け桶部の流出口から流出した水が、インナータンクと蓋との接合部分から漏水してしまうことと、オーバーフロー管へ浸入してしまうことを抑制することができる。
【図面の簡単な説明】
【００１８】
【図１】本発明の実施形態に係る洗浄水タンク装置の斜視図である。
【図２】本発明の実施形態に係る洗浄水タンク装置の上面図である。
【図３】図２のＡ−Ａ線に沿って見た断面図である。
【図４】本発明の実施形態に係るインナータンクの斜視図である。
【図５】本発明の実施形態に係るインナータンクの分解斜視図である。
【図６】本発明の実施形態に係る水受部の斜視図である。
【図７】本発明の実施形態に係る水受部の正面図である。
【図８】図７のＢ−Ｂ線に沿って見た断面図である。
【図９】本発明の実施形態に係る水受部における水の流れを模式的に表した洗浄水タンク装置の概略断面図である。
【発明を実施するための形態】
【００１９】
以下、本発明の実施形態について添付図面を参照しながら説明する。なお、各図面中、同様の構成要素には同一の符号を付して詳細な説明は適宜省略する。
【００２０】
＜手洗い器付き洗浄水タンク装置の構成＞
まず、図１及び図２を参照して、本発明の実施形態に係る洗浄水タンク装置１について説明する。
【００２１】
図１は、本発明の実施形態に係る洗浄水タンク装置１の斜視図である。図２は、本発明の実施形態に係る洗浄水タンク装置１の上面図である。
【００２２】
図１に示すように、洗浄水タンク装置１は、手洗い用の洗浄水を吐水する手洗い吐水部２と、手洗い吐水部２から吐水された洗浄水を受ける手洗いボウル部４と、この手洗いボウル部４の下方に設けられるアウタータンク６と、を備えている。
【００２３】
ここで、本実施形態では、アウタータンク６に対してボウル部４が設けられる側を上方向（上方）、これと反対側を下方向（下方）、手洗いボウル部４において吐水部２が設けられる側を後方向（後方）、これと反対側を前方向（前方）、上下方向及び前後方向と直交する方向のうち後方に向いて右側を右方向（右方）、左側を左方向（左方）、ということにする。
【００２４】
図２に示すように、手洗い吐水部２は、手洗いボウル部４の上面の中央後方端部に設けられている。また、手洗いボウル部４の上面には、上方から下方へ凹んでいるボウル面４ａが形成されており、手洗いボウル部４を上方から見たときのボウル面４ａの中央に排出口４ｂが開口している。このボウル面４ａで手洗い吐水部２から吐水される洗浄水を受け、受けた水を排出口４ｂから手洗いボウル部４の内部へ排出する。
【００２５】
アウタータンク６は、手洗いボウル部４の下方に設けられており、このアウタータンク６内には、後述するインナータンク８が設けられている。手洗いボウル部４の排出口４ｂから排出された水は、このインナータンク８内に貯水される。また、このインナータンク８の外側には断熱材（図示せず）が設けられている。
【００２６】
＜インナータンクの構成＞
つぎに、図３〜図５を参照して、本実施形態による洗浄水タンク装置１のインナータンク８について説明する。
【００２７】
図３は、図２のＡ−Ａ線に沿って見た断面図である。図４は、本発明の実施形態に係るインナータンク８の斜視図である。図５は、本発明の実施形態に係るインナータンク８の分解斜視図である。
【００２８】
図３に示すように、アウタータンク６の内部にはインナータンク８が設けられており、インナータンク８の底部には排水口１０が開口している。このインナータンク８の上部には蓋部１２が装着され、インナータンク８の内部であって排水口１０の上方には、排水口１０を開閉する排水装置１４が設けられている。また図４に示すように、インナータンク８には、排水装置１４を制御する操作装置１６が設けられている。さらに図５に示すように、インナータンク８と蓋部１２の間には、蓋部１２に着脱自在に取り付けられ、手洗いボウル部４の排出口４ｂから排出された水を受ける水受部１８が設けられている。
【００２９】
インナータンク８の内部には、外部の水道管などの給水源（図示せず）から給水管（図示せず）を介して給水される洗浄水と手洗いボウル部４の排出口４ｂから排出された洗浄水とが貯水される。また、インナータンク８の底部の排水口１０は、図示しない水洗大便器の導水路に連通している。インナータンク８内に貯水された洗浄水は、排水口１０を通って水洗大便器へ供給される。
【００３０】
図５に示すように、インナータンク８の上部には、蓋部１２が装着される。蓋部１２はインナータンク８の上方の開口を覆うようにスナップフィットにて、インナータンク８に係合される。
この蓋部１２は、手洗いボウル部４の排出口４ｂから鉛直方向に延びて流路を形成する筒部１２ａと、筒部１２ａの下端に接続され、インナータンク８の上方の開口を覆う平板部１２ｂと、を有し、蓋部１２の上方には排出口１０とインナータンク８とを連通する開口部１２ｃが開口されている。
【００３１】
図３にもどって、筒部１２ａの上端には開口部１２ｃが開口しており、手洗いボウル部４の排出口４ｂから排出された洗浄水は、この開口部１２ｃを介してインナータンク８内へ貯水される。
また、この蓋部１２の筒部１２ａの下方には開口部１２ｃから流入する水を、後述する排水装置１４のオーバーフロー管１４ａの外方に導く水受部１８が設けられている。この水受部１８は、蓋部１２の開口部１２ｃの下方において開口部１２ｃと流路が連通している筒状の接続筒部１２ｅに係合される。
【００３２】
平板部１２ｂの下面には、平板部１２ｂの下面から鉛直下方に延出する板状の案内部１２ｄが設けられている。この案内部１２ｄは、後述する水受部１８の流出口２２ｂと対面する位置に設けられており、水受部１８の流出口２２ｂから流出した水を当てることで下方へ案内する。具体的には、インナータンク８と蓋部１２の接合部分と、後述するオーバーフロー管１４ａの上端開口部１４ｆとの間へ案内する。
【００３３】
図３に示すように、インナータンク８の内部には、排水装置１４が設けられている。排水装置１４は、インナータンク８内に貯水された洗浄水を水洗大便器へ供給する装置であり、オーバーフロー管１４ａと、ガイド部１４ｂ、弁体１４ｃと、玉鎖１４ｄと、を有している。
【００３４】
まず、オーバーフロー管１４ａは、その下端部に位置し且つインナータンク８の排水口１０と対向する下端開口部１４ｅから、上方に位置する上端開口部１４ｆにかけて略円筒状に延びる管部材である。このオーバーフロー管１４ａは、その中心から下方にかけてその内径が段々と広がるように形成されている。
また、オーバーフロー管１４ａは、インナータンク８の底部から上方に向かって延出するガイド部１４ｂによって上下方向に摺動可能に保持されている。
【００３５】
インナータンク８内の洗浄水の水位が満水時の水位を超えてさらに上昇し、オーバーフロー管１４ａの上端開口部１４ｆの高さ位置を上回ってオーバーフローした際には、このオーバーフローした洗浄水がオーバーフロー管１４ａの上端開口部１４ｆから下端開口部１４ｅを経て、排水口１０からインナータンク８の外部に排水されるようになっている。
【００３６】
また、オーバーフロー管１４ａの下端開口部１４ｅの外周には、円環状のシール部材である弁体１４ｃが設けられている。そのため、弁体１４ｃは、後述する操作装置１６の操作に応じて、オーバーフロー管１４ａと一体的に上昇又は下降するようになっている。この弁体１４ｃが排水口１０の弁座と当接することで、インナータンク８の排水口１０を密封する排水弁として機能する。
オーバーフロー管１４ａの上方側には、玉鎖１４ｄの一端が取付けられており、玉鎖１４ｄの他端は、オーバーフロー管１４ａを上下動させるための操作装置１６に取付けられている。
【００３７】
図４に示すように、操作装置１６は、図示しないハンドルの回転操作によって回転する回転軸１６ａと、インナータンク８内に設けられ、回転軸１６ａの回転に連動して回転するレバー１６ｂ（図３参照）と、を有している。図３に示すように、この操作装置１６のレバー１６ｂには玉鎖１４ｄの他端が取付けられており、レバー１６ｂが回転することで玉鎖１４ｄが上昇又は下降する。これにより、玉鎖１４ｄの一端が取付けられるオーバーフロー管１４ａが上昇又は下降移動する。
【００３８】
＜水受部の構成＞
つぎに、図６〜図８を参照して、本実施形態による水受部１８について説明する。
【００３９】
図６は、本発明の実施形態に係る水受部１８の斜視図である。図７は、本発明の実施形態に係る水受部１８の正面図である。図８は、図７のＢ−Ｂ線に沿って見た断面図である。
【００４０】
図６に示すように、水受部１８は、蓋部１２に着脱自在に取り付けられ、インナータンク８の前後方向の略中心に設けられる。また、水受部は、蓋部１２の接続筒部１２ｅから鉛直下方に延びる筒状の受筒部２０と、受筒部２０の下端に接続される箱状の箱部２２と、を有している。
受筒部２０は排出口４ｂから排出された水を受け、箱部２２は受筒部２０から流路が屈曲して下流端部に流出口２２ｂが開口している。
【００４１】
なお、本実施形態における第一管部としての機能を果たすのは受筒部２０、第二管部としての機能を果たすのは箱部２２である。
【００４２】
水受部１８の受筒部２０の上方には、開口部１２ｃと連通する流入口２０ａが開口し、蓋部１２の接続筒部１２ｅに接続される接続部２０ｂが設けられている。この接続部２０ｂは受筒部２０の外周から外側に張り出し、且つ流入口２０ａから下方に形成される側壁を有している（図７参照）。この接続部２０ｂの内径は、蓋部１２の接続筒部１２ｅの外径と同じかそれよりも僅かに大きく形成されている。従って、接続部２０ｂは、蓋部１２の接続筒部１２ｅの外周を覆うように係合される。つまり、接続筒部１２ｅと接続部２０ｂは、いわゆるインロー構造にて係合される。
また、図８に示すように、受筒部２０の流路底面は、箱部２２及び流出口２２ｂに向かって下方へ傾斜している傾斜面２０ｃを有している。そのため、流入口２０ａから流入した水は、この傾斜面２０ｃに当たって、受筒部２０から箱部２２へ流路が絞られるように流れる。
【００４３】
箱部２２は、水が流れる底面と、底面から立設する側面と、箱部２２の上方を覆う上面によって構成され、その内部に流路を形成している。また、箱部２２の前方側の上面には、それぞれの内部の流路が連通するように受筒部２０が接続されており、箱部２２の後方側の側面には流出口２２ｂが開口している。
箱部２２の流路底面は、受筒部２０から流出口２２ｂに向かう方向に下方へ傾斜している。
また、箱部２２の流出口２２ｂにつながる底面には、流出口２２ｂに向かって下方へ傾斜している傾斜面２２ａが設けられている。この傾斜面２２ａは、箱部２２の流路底面の傾斜よりもさらに下方へ傾斜している。
【００４４】
＜動作及び作用＞
つぎに、図９を参照して、本発明の実施形態に係る水受部１８内の水の流れについて説明する。
【００４５】
図９は、本発明の実施形態に係る水受部１８内の流れを模式的に表した洗浄水タンク装置１の概略断面図である。
【００４６】
まず、水洗大便器（図示せず）の使用者が、図示しないハンドルを回転操作することによって、操作装置１６が駆動して操作装置１６の回転軸１６ａが回転する（図４参照）。回転軸１６ａが回転すると同時にレバー１６ｂも回転し、レバー１６ｂに取付けられた玉鎖１４ｄが上昇する。これに伴い、オーバーフロー管１４ａ及び弁体１４ｃが引き上げられて、排水口１０が開いて排水が開始される。そして、所定時間が経過すると、オーバーフロー管１４ａ及び弁体１４ｃが下降し、弁体１４ｃが排水口１０を閉じて排水が終了する。
インナータンク８内に貯水されていた洗浄水の排水が終了し、弁体１４ｃによって排水口１０が閉じられると、給水管（図示せず）からインナータンク８内に所定量の洗浄水が給水される。
【００４７】
ここで、弁体１４ｃが引き上げられて排水口１０が開くと同時もしくは排水口１０が開いてから所定時間経過後、手洗い吐水部２から手洗いボウル部４のボウル面４ａに向かって手洗い用の洗浄水が吐水される。ボウル面４ａに吐水された洗浄水は、ボウル面４ａの底部に開口している排出口４ｂからインナータンク８内へ排出される。
【００４８】
図９に示すように、排出口４ｂから排出された水は、蓋部１２の開口部１２ｃを介して水受部１８の流入口２０ａから受筒部２０の内部へ流入する。受筒部２０の接続部２０ｂは、インロー構造にて蓋部１２の接続筒部１２ｅに係合されているので、接続部２０ｂと接続筒部１２ｅの間から水受部１８の外部へ水が漏れることなく受筒部２０内を流下する。
受筒部２０へ流入した水はそのまま流下していき、受筒部２０の流路底面に設けられた傾斜面２０ｃに当たる。傾斜面２０ｃに当たった水は、そのまま傾斜面２０ｃに沿って箱部２２へ流れる。ここで、傾斜面２０ｃに当たった水は、傾斜面２０ｃによって流速を速めながら箱部２２へ流れる。
箱部２２へ流れた水は、流出口２２ｂに向かって箱部２２の流路の底面に沿って流れる。流出口２２ｂ付近に到達すると、箱部２２を流れる水は、傾斜面２２ａを介して流出口２２ｂから流出する。
【００４９】
水受部１８の流出口２２ｂから流出した水は、蓋部１２に設けられた案内部１２ｄに衝突し、そのまま案内部１２ｄに沿って流下する。案内部１２ｄに沿って流下する水は、インナータンク８と蓋部１２との接合部分と、オーバーフロー管１４ａの上方に開口された上端開口部１４ｆとの間へ流下する。具体的には、流出口２２ｂから案内部１２ｄまでの隙間を鉛直下方へ投影した領域の範囲内に流下する。
そして、手洗い吐水部２から洗浄水が吐水されてから所定時間が経過すると、手洗い吐水部２からの吐水が終了する。
【００５０】
上述した本発明の実施形態による洗浄水タンク装置１によれば、水受部１８は、排出口４ｂから排出された水を受ける受筒部２０と、この受筒部２０から流路が屈曲して下流端部に流出口２２ｂが開口された箱部２２とからなる。そのため、水受部１８から流出した水がオーバーフロー管１４ａの上端開口部１４ｅに侵入することを抑制することができる。また、水受部１８の流出口２２ｂと対面する位置に案内部１２ｄを設けることで、水受部１８の流出口２２ｂから流出した水を、インナータンク８と蓋部１２との接合部分とオーバーフロー管１４ａの上端開口部１４ｆとの間に水を流下させる。そのため、インナータンク８と蓋部１２との接合部分に水が飛散することを抑制することができる。
【００５１】
また、上述した本発明の実施形態による洗浄水タンク装置１によれば、受筒部２０の流路底面には、箱部２２に向かって下方へ傾斜し、排出口４ｂから排出された水を箱部２２へ導く傾斜面２０ｃが設けられている。排出口４ｂから排出された水は、この傾斜面２０ｃで水を受けた後、傾斜面２０ｃに沿って水受部１８の受筒部２０から箱部２２へ水が流れるので、平面で水を受けた場合と比べて、水の流れの損失が少なく、スムーズに流れる。そのため、受筒部２０から箱部２２へ水が流れるときの水の流速が平面のときよりも速くなり、水が水受部１８の受筒部２０の上方に向かって逆流することを抑制することができる。また、排出口４ｂから排出された水を傾斜面２０ｃで受けるので、平面で水を受ける場合と比べて、受筒部２０の上方への水の跳ね返りが抑制される。そのため、水受部１８の受筒部２０と蓋部１２との接続部分へ水が跳ね返り、そこから水が漏れてしまうことを抑制することができる。
【００５２】
さらに、上述した本発明の実施形態による洗浄水タンク装置１によれば、箱部２２の流出口２２ｂにつながる底面において、流出口２２ｂに向かって下方へ傾斜している傾斜面２２ａが形成されていることで、流出口２２ｂから流出した水の水切り性能を向上させることができる。そのため、水受部１８の流出口２２ｂから流出した水が水受部１８の箱部２２の下面を伝って意図していない場所、例えば、オーバーフロー管１４ａの上端開口部１４ｆの上方に流下することを抑制することができる。
【００５３】
また、上述した本発明の実施形態による洗浄水タンク装置１によれば、水受部１８の受筒部２０の接続部２０ｂは蓋部１２の接続筒部１２ｅにインロー構造を形成するように係合されていることで、蓋部１２と水受部１８との接合部分から水受部１８の外部へ水が漏れてしまうことを抑制する。
【００５４】
＜変形例＞
以上、本発明の実施形態について説明したが、本発明は、上述した実施形態に限定されるものではない。
【００５５】
例えば、水受部１８は蓋部１２と着脱自在に構成されているので、インナータンク８内の構成部品、例えばオーバーフロー管１４ａの配置によって、洗浄水タンク装置１の前方、右方、左方側に向かって水受部１８からインナータンク８内へ水を流出させるように流出口２２ｂ及び案内部１２ｄを設けてもよい。これにより、インナータンク８内の構成部品のレイアウトの自由度を高めることができる。
【００５６】
また、例えば、蓋部１２において、水受部１８の流出口２２ｂと対面する位置に流出口２２ｂから流出した水を下方へ案内する案内部１２ｄが設けられているが、水受部１８の箱部２２の上面を延長し、延長させた端部から鉛直下方へ向かって形成するように構成されていてもよい。
【００５７】
また、例えば、手洗いボウル部４とアウタータンク６とは、それぞれ別体で構成されているが、これらは一体で構成されていてもよい。
【００５８】
また、例えば、操作装置１６は使用者が図示しないハンドルの回転操作によって駆動する構成を説明したが、電動モータ等によって操作装置１６が駆動されてもよい。
【００５９】
前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１    洗浄水タンク装置
２    手洗い吐水部
４    手洗いボウル部
４ａ  ボウル面
４ｂ  排出口
６    アウタータンク
８    インナータンク
１０    排水口
１２    蓋部
１２ａ  筒部
１２ｂ  平板部
１２ｃ  開口部
１２ｄ  案内部
１２ｅ  接続筒部
１４    排水装置
１４ａ  オーバーフロー管
１４ｂ  ガイド部
１４ｃ  弁体
１４ｄ  玉鎖
１４ｅ  下端開口部
１４ｆ  上端開口部
１６    操作装置
１６ａ  回転軸
１６ｂ  レバー
１８    水受部
２０    受筒部（第一管部）
２０ａ  流入口
２０ｂ  接続部
２０ｃ  傾斜面
２２    箱部（第二管部）
２２ａ  傾斜面
２２ｂ  流出口
【図１】
0006481962.tif 000002
【図２】
0006481962.tif 000003
【図３】
0006481962.tif 000004
【図４】
0006481962.tif 000005
【図５】
0006481962.tif 000006
【図６】
0006481962.tif 000007
【図７】
0006481962.tif 000008
【図８】
0006481962.tif 000009
【図９】
0006481962.tif 000010